(57)【要約】【課題】  壁材を同時に多段に吊り下げることができ、建物躯体へ壁材の取付けを効率良く行うことができる吊り材を提供する。【解決手段】  この吊り材１は、複数の壁材１０を互いに上下に間隔を開けて多段に吊り下げるのに使用される。吊り材１は、鉛直方向に垂れ下がる１本の主スリング２と、この主スリング２における互いに上下に離れた箇所にそれぞれ一端が結合され、他端に壁材１０の上部に連結される連結部４を設けた複数本の分岐スリング３とを備える。【選択図】        図１
2015229884.tif 000002
【特許請求の範囲】
【請求項１】
複数の壁材を互いに上下に間隔を開けて多段に吊り下げる吊り材であって、鉛直方向に垂れ下がる１本の主スリングと、この主スリングにおける互いに上下に離れた箇所にそれぞれ一端が結合され、他端に前記壁材の上部に連結される連結部を設けた複数本の分岐スリングとを備えることを特徴とする吊り材。
【請求項２】
請求項１に記載の吊り材において、上下に隣合う２つの前記分岐スリングにつき、上側の分岐スリングに吊り下げられた前記壁材が下側の分岐スリングに対して上下位置が重なる位置関係となるように、前記各分岐スリングを配置した吊り材。
【請求項３】
１本の水平棒状治具と、この水平棒状治具の互いに長さ方向に離れた複数の箇所からそれぞれ垂れ下がる複数の吊り材とを有し、これら複数の吊り材はこの発明の吊り材であることを特徴とする吊り材組。
【請求項４】
建物躯体に壁材を上下に複数並べて建て込む壁の施工方法であって、
鉛直方向に垂れ下がる１本の主スリングと、この主スリングにおける互いに上下に離れた箇所にそれぞれ一端が結合され、他端に前記壁材の上部に連結される連結部を設けた複数本の分岐スリングとを備えた複数の吊り材を用い、
これら複数の吊り材の前記複数の上下に離れた各分岐スリングの前記連結部を上下に並べる複数の前記壁材の上部にそれぞれ連結し、前記主スリングをクレーンで引き上げることにより、複数の前記壁材を互いに上下に間隔を開けて多段に吊り下げた状態に保持し、この吊り下げられた状態にある複数の前記壁材を下側のものから順に建物躯体に建て込んでいくことを特徴とする壁の施工方法。
【請求項５】
請求項４に記載の壁の施工方法において、水平に積み重ねられた状態にある複数の前記壁材に対し、これら複数の壁材の吊り上げた状態で上部となる箇所に、前記吊り材の前記各分岐スリングの連結部を連結し、前記主スリングをクレーンで引き上げる壁の施工方法。
【請求項６】
請求項４または請求項５に記載の壁の施工方法において、前記壁材は、上端部の表裏両面部分が他の箇所の表裏両面部分よりも厚み方向内側に後退した形状であり、かつ下端部の厚み方向中央部に下端側に開口する凹み部が形成された形状であり、
建物躯体に各壁材を建て込むにつき、下側の壁材の上端部が上側の壁材の下端部の前記凹み部に嵌ることで、上下に隣合う２つの壁材を互いに固定する壁の施工方法。
【発明の詳細な説明】
【技術分野】
【０００１】
この発明は、物流施設等の建築物等における外壁パネル等の壁材の施工時に、建物躯体に建て込むための複数の壁材を多段に吊り下げて保持する吊り材、およびこの吊り材を用いた壁の施工方法に関する。
【背景技術】
【０００２】
物流施設、コンビニエンスストア等の建物の外壁を、横長の壁材を上下に複数段並べて構築することがある。このような外壁につき、従来の一般的な施工方法では、クレーン等により壁材を１枚ずつ吊り下げて建物躯体の壁材取付け箇所まで運んで取り付けていた。
【先行技術文献】
【特許文献】
【０００３】
【特許文献１】特許第４７０９３２１号
【特許文献２】特許第５０５９５６７号
【特許文献３】特開２００４−３４６６０１号公報
【特許文献４】特開平０１−１８２４６６号公報
【特許文献５】実開平０１−０８５３７９号公報
【発明の概要】
【発明が解決しようとする課題】
【０００４】
上記のように壁材を１枚ずつ吊り下げて運ぶ施工方法は、１枚の壁材の取付けが完了してから、離れた置き場に置かれている次の壁材をクレーンにより建物躯体の壁材取付け箇所まで運んでくるまでに時間がかかり、作業能率を向上させる上での障害となっていた。特に、建物躯体の屋外側に足場が組まれていてクレーン操作が難しい場合は、さらに時間がかかり、より一層の作業能率の低下を招くこととなる。
【０００５】
この発明の目的は、壁材を同時に多段に吊り下げることができ、建物躯体へ壁材の取付けを効率良く行うことができる吊り材を提供することである。
この発明の他の目的は、壁材を同時に多段に吊り下げることができる吊り材を用いて、壁を能率良く施工できる壁の施工方法を提供することである。
【課題を解決するための手段】
【０００６】
この発明の吊り材は、複数の壁材を互いに上下に間隔を開けて多段に吊り下げる吊り材であって、鉛直方向に垂れ下がる１本の主スリングと、この主スリングにおける互いに上下に離れた箇所にそれぞれ一端が結合され、他端に前記壁材の上部に連結される連結部を設けた複数本の分岐スリングとを備えることを特徴とする。
【０００７】
この吊り材の構成によると、各分岐スリングの連結部を壁材の上部に連結し、主スリングをクレーン等で引き上げることで、複数の壁材を多段に吊り下げる。ここで言う壁材の上部とは、壁材を建物躯体に建て込んだ状態で上部となる箇所のことである。
【０００８】
建物躯体に複数の壁材を上下に並べて取り付ける場合、吊り材により多段に吊り下げられた複数の壁材を建物躯体の壁材取付け面の近くに寄せる。そして、例えば下から順に、建物躯体に壁材を取り付ける。その際、ある段の建込み位置に対して壁材の取付けが完了した後、吊り材を壁材間の上下間隔分だけ下降させるだけで、取付けが完了した建込み位置の１つ上の建込み位置に次の壁材を供給することができる。つまり、吊り下げ状態に搬入した形態のままで施工することが可能であり、１つの壁材の取付けが完了した後、すぐに次の壁材の取付けを行うことができるため、作業能率が良い。また、仮置き場等から建物躯体まで壁材を移動する際にも、吊り材により複数の壁材を多段に吊り下げることで、一度に複数の壁材を移動することができ、時間短縮を図ることができる。
【０００９】
この発明の吊り材において、上下に隣合う２つの前記分岐スリングにつき、上側の分岐スリングに吊り下げられた前記壁材が下側の分岐スリングに対して上下位置が重なる位置関係となるように、前記各分岐スリングを配置すると良い。
この場合、上側の分岐スリングに吊り下げられた壁材が下側の分岐スリングの振れを規制し、下段に吊り下げられている壁材が安定する。そのため、壁材の取付けを行い易い。
【００１０】
この発明の吊り材組は、１本の水平棒状治具と、この水平棒状治具の互いに長さ方向に離れた複数の箇所からそれぞれ垂れ下がる複数の吊り材とを有し、これら複数の吊り材はこの発明の吊り材であることを特徴とする。
この吊り材組の構成によると、複数の吊り材の分岐スリングを壁材の互いに離れた箇所に連結し、水平棒状治具をクレーン等で引き上げることで、複数の壁材を多段に吊り下げる。壁材を複数箇所で支持するため、各壁材を適正な姿勢に保ったまま吊り下げることができる。
【００１１】
この発明の壁の施工方法は、建物躯体に壁材を上下に複数並べて建て込む壁の施工方法であって、鉛直方向に垂れ下がる１本の主スリングと、この主スリングにおける互いに上下に離れた箇所にそれぞれ一端が結合され、他端に前記壁材の上部に連結される連結部を設けた複数本の分岐スリングとを備えた複数の吊り材を用い、これら複数の吊り材の上下に離れた各分岐スリングの前記連結部を上下に並べる複数の前記壁材の上部にそれぞれ連結し、前記主スリングをクレーンで引き上げることにより、複数の前記壁材を互いに上下に間隔を開けて多段に吊り下げた状態に保持し、この吊り下げられた状態にある複数の前記壁材を下側のものから順に建物躯体に建て込んでいくことを特徴とする。
【００１２】
この壁の施工方法によると、吊り材により多段に吊り下げられた複数の壁材を、下側のものから順に建物躯体に建て込んでいくことにより、吊り下げ状態に搬入した形態のままで施工することが可能である。また、１つの壁材の取付けが完了した後、吊り材を壁材間の上下間隔分だけ下降させることで、すぐに次の壁材を供給することができる。このため、効率良く壁材の取付け作業を行える。複数の吊り材を使用することで、各壁材を適正な姿勢に保ったまま吊り下げることができる。
【００１３】
この発明の壁の施工方法において、水平に積み重ねられた状態にある複数の前記壁材に対し、これら複数の壁材の吊り上げた状態で上部となる箇所に、前記吊り材の前記各分岐スリングの連結部を連結し、前記主スリングをクレーンで引き上げると良い。
この場合、仮置き場等に水平に積み重ねられた状態で置かれている壁材を、吊り材で直接吊り下げることができるので、吊り下げ作業に手間がかからない。
【００１４】
この発明の壁の施工方法では、前記壁材は、上端部の表裏両面部分が他の箇所の表裏両面部分よりも厚み方向内側に後退した形状であり、かつ下端部の厚み方向中央部に下端側に開口する凹み部が形成された形状であるのが良い。この壁材を用いると、下側の壁材の上端部を上側の壁材の下端部の前記凹み部に嵌めることで、上下に隣合う２つの壁材を互いに固定することができ、壁材同士を強固に結合できると共に、他の部材を用いずに壁材同士を結合することができ、壁材の取付けが容易である。
【発明の効果】
【００１５】
この発明の吊り材は、複数の壁材を互いに上下に間隔を開けて多段に吊り下げる吊り材であって、鉛直方向に垂れ下がる１本の主スリングと、この主スリングにおける互いに上下に離れた箇所にそれぞれ一端が結合され、他端に前記壁材の上部に連結される連結部を設けた複数本の分岐スリングとを備えるため、壁材を同時に多段に吊り下げることができ、建物躯体へ壁材の取付けを効率良く行うことができる。
【００１６】
この発明の壁の施工方法は、建物躯体に壁材を上下に複数並べて建て込む壁の施工方法であって、鉛直方向に垂れ下がる１本の主スリングと、この主スリングにおける互いに上下に離れた箇所にそれぞれ一端が結合され、他端に前記壁材の上部に連結される連結部を設けた複数本の分岐スリングとを備えた複数の吊り材を用い、これら複数の吊り材の上下に離れた各分岐スリングの前記連結部を上下に並べる複数の前記壁材の上部にそれぞれ連結し、前記主スリングをクレーンで引き上げることにより、複数の前記壁材を互いに上下に間隔を開けて多段に吊り下げた状態に保持し、この吊り下げられた状態にある複数の前記壁材を下側のものから順に建物躯体に建て込んでいくため、壁材を同時に多段に吊り下げることができる吊り材を用いて、壁を能率良く施工できる。
【図面の簡単な説明】
【００１７】
【図１】（Ａ）はこの発明の一実施形態にかかる吊り材の正面図、（Ｂ）はその側面図である。
【図２】同吊り材の一部を拡大した側面図である。
【図３】壁材の一例の断面図である。
【図４】同吊り材により壁材を吊り下げた状態における一部を拡大した側面図である。
【図５】同吊り材を用いた壁の施工方法の説明図その１である。
【図６】同吊り材を用いた壁の施工方法の説明図その２である。
【図７】同吊り材を用いた壁の施工方法の説明図その３である。
【図８】上下に隣合う２つの壁材の結合部の断面図である。
【発明を実施するための形態】
【００１８】
この発明の実施形態を図面と共に説明する。
図１はこの発明の一実施形態にかかる吊り材の正面図と側面図である。この吊り材１は、鉛直方向に垂れ下がる１本の主スリング２と、この主スリング２における互いに上下に離れた箇所にそれぞれ一端が結合された複数の分岐スリング３とを備え、各分岐スリング３の他端に壁材１０に連結するための連結部４が設けられている。主スリング２の上端には、リング状金具（「アイ」と称される）等の吊り上げ用部材５が設けられている。図の例では、１本の主スリング２に４本の分岐スリング３が設けられているが、分岐スリング３の数が４本以外であっても良い。
【００１９】
主スリング２および分岐スリング３は、例えば帯状のナイロンスリングが用いられるが、ワイヤー、チェーン等からなる他のスリングを用いても良い。ナイロンスリングの場合、主スリング２と分岐スリング３の結合部は、例えば図２のように縫合糸６により縫合される。また、分岐スリング３の連結部４は、この例では、分岐スリング３の端部を縫合糸６によりループ状に縫合してなる。連結部４は、リング状金具であっても良い。
【００２０】
壁材１０は、例えば図１に示すような横長の形状であり、３〜５枚で建物の１階分となる。この１階分の複数の壁材１０を、吊り材組７を用いて吊り上げる。吊り材組７は、Ｈ形鋼等の鉄骨材８ａに適当間隔で複数の引っ掛け具８ｂを設けた水平棒状治具（「吊り上げ用天秤」とも称される）８と、この水平棒状治具８から垂れ下がる複数本（例えば２本）の吊り材１とで構成される。吊り材組７の左右バランスがとれるように、水平棒状治具８の適正な位置の引っ掛け具８ｂに各吊り材１の吊り上げ用部材５が引っ掛けられている。さらに、水平棒状治具８に玉掛けワイヤー９を取り付け、その玉掛けワイヤー９をクレーンのワイヤーフック（図示せず）に掛ける。そして、吊り材１の各分岐スリング３の連結部４を壁材１０の上部に連結し、吊り材１をクレーンで引き上げることで、複数の壁材１０を互いに上下に間隔を開けて多段に吊り下げる。
【００２１】
壁材１０を吊り下げた状態では、図４に示すように、上下に隣合う２つの分岐スリング３Ａ，３Ｂにつき、上側の分岐スリング３Ａに吊り下げられた壁材１０Ａが下側の分岐スリング３Ｂに対して上下位置が重なる位置関係となっている。言い換えると、上記位置関係が成立するように、各分岐スリング３の配置を定めてある。これにより、上側の分岐スリング３に吊り下げられた壁材１０が下側の分岐スリング３の振れを規制し、下段に吊り下げられている壁材１０が安定する。そのため、後で説明する壁材１０の取付け作業を行い易い。複数の吊り材１を使用することにより、各壁材１０を適正な姿勢に保ったまま吊り下げることができる。
【００２２】
壁材１０は、例えば図３に示すように、表裏一対の金属板１１，１２で断熱材１３を挟み込んだ断面形状をした外壁パネルである。金属板１１，１２は、メッキ鋼板、アルミニウム板等である。断熱材１３は、ロックウール、発泡スチロール、ウレタン等である。この壁材１０は、物流施設等の建築物等における外壁材として用いられる
【００２３】
壁材１０の上端部は、金属板１１，１２を折り曲げ加工することで、表裏の面が他の箇所の表裏の面よりも壁材１０の厚み方向内側に後退した形状としてある。表裏の面の内側への後退寸法ａは、金属板１１，１２の厚さの２倍程度である。金属板１１，１２の上端側の先端は、内側に屈曲したリップ部１１ａ，１２ａになっている。
【００２４】
また、壁材１０の下端部は、金属板１１，１２の下端部を上方に折り返した形状とすることで、厚み方向中央部が下端側に開口する凹み部１４になっている。表側の金属板１１の下端部の折り返し寸法ｂ２は、壁材１０の上端部における表側の後退部分の上下寸法ｂ１よりも短く（ｂ１＞ｂ２）、裏側の金属板１２の下端部の折り返し寸法ｃ２は、壁材１０の上端部における裏側の後退部分の上下寸法ｃ１よりも短い（ｃ１＞ｃ２）。金属板１１，１２の下端側の先端は、内側に屈曲したリップ部１１ｂ，１２ｂになっている。
【００２５】
上記吊り材１を用いた壁の施工方法を説明する。
壁の構築に使用される壁材１０は、例えば図５のように、仮置き場に上下に積み重ねて載置されている。これら壁材１０における建込み時に上になる側の端部に、吊り材１の各分岐スリング３の連結部４を、分岐スリング３の段位と壁材１０の段位とをそれぞれ対応させて連結する。つまり、最上段の分岐スリング３は最上段の壁材１０に連結し、２段目の分岐スリング３は２段目の壁材１０に連結する。連結部４は、壁材１０に直接連結してもよく、あるいは壁材１０に取り付けた連結用金具（図示せず）に連結しても良い。この状態で、クレーンにより吊り上げ用天秤７を介して複数の吊り材１を引き上げることにより、図１のように、各壁材１０が互いに上下に間隔を開けて多段に吊り下げられる。
【００２６】
このように多段に吊り下げた壁材１０を、図６（Ａ）のように、建物躯体１５の近傍まで移動させる。そして、同図（Ｂ）のように、最下段の壁材１０を建物躯体１５の最下段の建込み位置に位置合わせして、建物躯体１５に取り付ける。壁材１０の位置合わせは、例えば建物躯体１５内の作業者が分岐スリング３を引き寄せて行う。
図７のように、吊り上げ用天秤７に取り付けた補助ロープ１６を壁材１０の建物躯体１５を向く側に垂らし、この補助ロープ１６を分岐スリング３に接続しておけば、この補助ロープ１６を引っ張ることで容易に壁材１０の位置合わせをすることができる。また、壁材１０の移動時や下降時に補助ロープ１６を使って壁材１０の揺れを防止することもできる。また、補助ロープ１６の他の役割として、上部の壁材１０の２次脱落防止にも役立つ。主スリング２または分岐スリング３に補助ロープ１６を２本以上固定しておけば、万一１本の補助ロープ１６が機能しない場合でも、他の補助ロープ１６により、上部に吊り下げられた壁材１０の落下を防止できる。
【００２７】
最下段の壁材１０の取付けが完了したら、吊り材１を壁材間の上下間隔ｄ分だけ下降させて、図６（Ｃ）のように、下から２段目の壁材１０を下から２段目の建込み位置に供給する。下から２段目の壁材１０を建物躯体１５に取り付ける際には、図８に示すように、下側の壁材１０の上端部を上側の壁材１０の下端部の凹み部１４に嵌めることで、上下に隣合う２つの壁材１０を互いに固定する。このように両壁材１０を固定すると、壁材同士が強固に結合されると共に、他の部材を用いずに壁材同士を固定することができ、壁材１０の取付けが容易である。以下同様にして、全ての壁材１０を建物躯体１５に取り付ける。
【００２８】
上記吊り材１を用いた壁の施工方法によると、１つの壁材１０の取付けが完了したら、すぐに次の壁材１０を供給することができ、効率良く壁材１０の取付け作業を行える。また、仮置き場等から建物躯体１５まで壁材１０を運ぶ際にも、吊り材１により複数の壁材を多段に吊り下げることで、一度に複数の壁材１０を運ぶことができ、時間短縮を図ることができる。
【符号の説明】
【００２９】
１…吊り材
２…主スリング
３…分岐スリング
４…連結部
７…水平棒状治具
１０…壁材
１４…凹み部
１５…建物躯体
【図１】
2015229884.tif 000003
【図２】
2015229884.tif 000004
【図３】
2015229884.tif 000005
【図４】
2015229884.tif 000006
【図５】
2015229884.tif 000007
【図６】
2015229884.tif 000008
【図７】
2015229884.tif 000009
【図８】
2015229884.tif 000010